(57)【要約】【課題】建築現場等の作業現場で作業者が頭部保護のために被るヘルメットについて、作業者の頭部の蒸れを防止するために通風ファンを取り付けてヘルメット内に強制的に外気を導入するようにしたものが提供されているが、従来その電源には乾電池等の専用電源を用意する必要があった。本発明では、通風等の様々な機能を有する電気機器の電源として、建築作業現場等で当然に準備される電動工具用のバッテリパックを活用できるようにする。【解決手段】ヘルメット本体１１に取り付け可能な通風ユニット１２の電源として、電動工具用のバッテリパック１３を用いる。バッテリパック１３は、バッテリアダプタ１２ｂに装着して腰ベルト１４に引き掛けておけるようにし、これによりヘルメット１０の軽量化を図って作業者の負担を軽減する。【選択図】図１
2012036527.tif 000002
【特許請求の範囲】
【請求項１】
頭部に被るヘルメット本体に電気機器を装備しており、該電気機器の電源として、電動工具の電源に用いる充電式のバッテリパックであって、バッテリケース内に少なくとも一つのバッテリセルを内装したバッテリパックを用いる構成としたヘルメット。
【請求項２】
請求項１記載のヘルメットであって、前記バッテリパックが前記電動工具に対する着脱用のフックを備えており、該フックにより前記電気機器に対して前記バッテリパックを着脱可能な構成としたヘルメット。
【請求項３】
請求項１又は２記載のヘルメットであって、前記ヘルメット本体から前記電気機器を取り外し可能なヘルメット。
【請求項４】
請求項１〜３の何れか１項に記載のヘルメットであって、前記バッテリパックは、前記ヘルメット本体から離間して作業者の身体に装備され、コード付きアダプタを介して前記電気機器に電源供給する構成としたヘルメット。
【請求項５】
請求項１〜３の何れか１項に記載のヘルメットであって、前記バッテリパックを前記電気機器に対するバランスウエイトとして機能する部位に装備したヘルメット。
【請求項６】
請求項１〜５の何れか１項に記載したヘルメットであって、前記電気機器として、送風用のファン又はラジオ又は照明器具の何れか一つ若しくは複数を装備したヘルメット。
【発明の詳細な説明】
【技術分野】
【０００１】
この発明は、例えば建築作業現場等で作業者が頭部を保護するために被るヘルメットに関する。
【背景技術】
【０００２】
例えば夏期の建築作業現場等でヘルメットを被ると風通しが悪いため頭部が蒸れる等して作業者は不快感を持ち、その結果作業効率が低下しやすくなる問題がある。このため、この種のヘルメットについて、通風効果を高めるための工夫が従来からなされている。下記の特許文献には、ヘルメット内部に強制的に風を通すための送風ファンを備え付ける技術が開示されている。送風ファンは電動モータにより回転し、電動モータは乾電池等の専用電池を電源として回転する構成となっている。電池は、ヘルメットに直接装備するもの、あるいはヘルメットから分離して作業者のベルト等に吊り下げてヘルメットの軽量化を図るもの等が提供されている。
【先行技術文献】
【特許文献】
【０００３】
【特許文献１】実開昭６１−５０７２８号公報
【特許文献２】実開昭６１−１７６２２１号公報
【発明の概要】
【発明が解決しようとする課題】
【０００４】
このように、ヘルメット送風（冷却）用のファンを回転させる電動モータ（ファンモータ）は、容易に入手できる使い切りの乾電池等を専用電源として用いることにより簡易な構成でヘルメット内送風のために手軽に利用できるようになっていた。
一方で、建築作業現場等では、ねじ締め工具や切断機等の各種の電動工具が一般的に用いられている。これら主として手持ち式の電動工具には複数本のバッテリセルをバッテリケース内に内装した充電式のバッテリパックを電源とするものが多く提供されている。これら電動工具用のバッテリパックを、上記ヘルメット送風用のファンモータあるいはその他の電気機器の電源として用いることができれば、建築現場等のバッテリ式電動工具が用いられる現場においては、上記専用の乾電池や充電池を別途用意する必要がないのでヘルメット付属の送風ファン等の電気機器を有効利用できるとともに、電動工具に付帯して用意される電動工具用のバッテリパックを有効活用することができるようになる。
そこで、本発明は、例えば建築作業現場等において作業者が快適に使用できるヘルメットであって、電動工具用のバッテリパックを電源として作動する各種の電気機器を備えたヘルメットを提供することを目的とする。
【課題を解決するための手段】
【０００５】
上記課題は、以下の発明によって解決される。
第１の発明は、頭部に被るヘルメット本体に電気機器を装備しており、該電気機器の電源として、電動工具の電源に用いる充電式のバッテリパックであって、バッテリケース内に少なくとも一つのバッテリセルを内装したバッテリパックを用いる構成としたヘルメットである。
第１の発明によれば、充電式のバッテリパックを電源とする電動工具が用いられる例えば建築作業現場等において、従来の乾電池等の専用電池を用意することなく、この種の現場では当然に用意される電動工具用のバッテリパックを用いてヘルメット付属の電気機器を用いることができ、これにより作業者はヘルメットを快適な状態で装備することができる。
第２の発明は、第１の発明において、バッテリパックが電動工具に対する着脱用のフックを備えており、このフックにより電気機器に対してバッテリパックを着脱可能な構成としたヘルメットである。第２の発明によれば、バッテリパックを電動工具に対して取り付け、取り外しするためのフックを、電気機器に対する取り付け、取り外しのためにそのまま機能させることができる。このフックは、バッテリパックを電気機器に直接取り付ける形態の他、コード付きのアダプタを介して電気機器に取り付ける形態の何れについてもそのまま機能させることができる。
第３の発明は、第１又は第２の発明において、ヘルメット本体から電気機器を取り外し可能なヘルメットである。第３の発明によれば、例えば送風ファンや照明等の電気機器を必要としない場合には、取り外して軽量化したヘルメットを利用することができ、これにより作業者の快適性及び作業効率を一層高めることができる。
第４の発明は、第１〜第３の何れか一つの発明において、前記バッテリパックは、前記ヘルメット本体から離間して作業者の身体に装備され、コード付きアダプタを介して前記電気機器に電源供給する構成としたヘルメットである。第４の発明によれば、ヘルメットを常時軽量化した状態で用いることができ、この点で作業者のヘルメット装着時の快適性を高めることができる。
第５の発明は、第１〜第３の何れか一つの発明において、バッテリパックを電気機器に対するバランスウエイト（重量バランサ）として機能する部位に装備したヘルメットである。第５の発明によれば、ヘルメットを傾きなくバランスのとれた姿勢で被ることができる。例えば、電気機器をヘルメット本体の後部に装備する場合には、バッテリパックをヘルメット本体の前部に配置して重量バランスをとることで傾きのない状態でヘルメットを被ることができる。電気機器をヘルメット本体の右側部に装備する場合には、バッテリパックをその反対側の左側部に配置することによって傾きなく被ることができる。要は、バッテリパックを電気機器に対するバランスウエイトとして機能させることにより、ヘルメットを傾きなく快適な状態で被ることができる。
第６の発明は、第１〜第５の何れか１つの発明において、電気機器として、送風用のファン又はラジオ又は照明器具の何れか一つ若しくは複数を装備したヘルメットである。第６の発明によれば、ヘルメット本体に送風ファンを備えることにより作業者の頭部の蒸れを防止して作業の快適性を高めることができ、ヘルメット本体にラジオを備えることにより作業休憩時のリラックス効果を高めることでき、また災害時等の緊急情報を迅速かつ確実に入手することができ、ヘルメット本体に照明器具を備えることにより、暗所での作業を効率よく行うことができるようになり、作業現場や作業形態等必要に応じて各種の電気機器をヘルメット本体に装備し、これらの電気機器を作業現場で当然に用意される電動工具用のバッテリパックを電源として有効活用することができる。
【図面の簡単な説明】
【０００６】
【図１】本発明の第１実施形態に係るヘルメットを装着した作業者の側面図である。
【図２】バッテリ式の電気カンナの全体斜視図である。
【図３】第２実施形態に係るヘルメットの側面図である。
【図４】第３実施形態に係るヘルメットの側面図である。
【図５】第４実施形態に係るヘルメットの側面図である。
【図６】第５実施形態に係るヘルメットの側面図である。
【発明を実施するための形態】
【０００７】
次に、本発明の実施形態を図１〜図６に基づいて説明する。図１は、第１実施形態に係るヘルメット１０を示している。このヘルメット１０は、作業者が頭部に被るヘルメット本体１１と、電気機器の一例としての送風ユニット１２を備えている。ヘルメット本体１１は、硬質樹脂製で椀形をなすもので、あご紐１１ａと後頭部押さえベルト１１ｂを備えている。また、ヘルメット本体１１の内側には、頭部にあてがうための頭部当てベルトが設けられており、頭部に被った装着状態ではヘルメット本体１１と頭部との間に通風用の隙間ができるようになっている。係るヘルメット本体１１については従来公知のもので足り、本実施形態において特に変更を要しない。
送風ユニット１２は、電動工具の電源として用いられる充電式のバッテリパック１３を電源としており、このバッテリパック１３を接続するためのバッテリアダプタ１２ｂを備えている。送風ユニット１２は、ヘルメット本体１１の後部に面ファスナで取り付けられている。このため、送風ユニット１２は、図１中二点鎖線で示すようにヘルメット本体１１の後面から引き剥がすようにして取り外すことができ、逆に押し付けるだけで簡単に取り付けることができる。送風ユニット１２は、電動モータとその出力軸に取り付けたファン本体を内装している。図１に示すようにヘルメット本体１１に取り付けた状態で、この送風ユニット１２の吹き出し口１２ｃがヘルメット本体１１の後部から内側に向けられている。電動モータの起動により回転するファンによって、この吹き出し口１２ｃから図１中白抜きの矢印で示すようにヘルメット本体１１と作業者の頭部との間の隙間に外気が強制的に吹き込まれる。
送風ユニット１２には、オンオフ操作用のスライドスイッチ１２ｆが設けられている。作業者自身がこのスライドスイッチ１２ｆをスライド操作することにより、内装した電動モータを起動、停止させてファン本体を回転、停止させることができ、これにより必要時にヘルメット本体１１内に強制通風して快適な作業環境を実現でき、不必要時には停止させてバッテリパック１３の無駄使いを防止することができる。
【０００８】
送風ユニット１２からは、内装した電動モータに電源供給するための電源コード１２ｄが引き出されている。この電源コード１２ｄを経て送風ユニット１２は、バッテリアダプタ１２ｂに接続されている。このバッテリアダプタ１２ｂにバッテリパック１３が装着されている。このバッテリパック１３は、バッテリアダプタ１２ｂに対して上方へスライドさせることにより取り外すことができる。
このバッテリパック１３は、例えば図２に示すような充電式の電気カンナ等の電動工具１５の電源として用いられるもので、別途用意した充電器によって充電することにより繰り返し使用することができる。電動工具１５の後部には、バッテリ取り付け部１５ａが設けられている。このバッテリ取り付け部１５ａに対してバッテリパック１３を下方へスライドさせると、当該バッテリパック１３が工具本体部１５ｂの電源回路に電気的に接続され、上方へスライドさせると取り付け部１５ａから取り外すことができる。
バッテリパック１３は、バッテリケース１３ｃ内に複数本のバッテリセル１３ｂ〜１３ｂを内装したもので、電動工具１５のバッテリ取り付け部１５ａに対する取り付け状態を保持するためのフック１３ａを備えている。このフック１３ａを押し下げ操作すると、バッテリ取り付け部１５ａに対してフック１３ａが外れて当該バッテリパック１３をバッテリ取り付け部１５ａから取り外すことができる。
取り外したバッテリパック１３は、そのままバッテリアダプタ１２ｂに取り付けて送風ユニット１２の電源として用いることができる。従って、バッテリアダプタ１２ｂのバッテリパック１３に対するスライド取り付け構造及び電気的な接続構造については、電動工具１５のバッテリ取り付け部１５ａと同じ構造を備えている。
バッテリアダプタ１２ｂには、ベルト掛け用のフック１２ｅが設けられている。このフック１２ｅを利用してバッテリパック１３を作業者の腰ベルト１４に引き掛けておくことによりヘルメット１０の軽量化を図ることができ、これにより作業者の負担を軽減しつつ作業の効率化を図ることができる。
【０００９】
以上のように構成した第１実施形態のヘルメット１０によれば、充電式のバッテリパック１３を電源とする電動工具１５が用いられる例えば建築作業現場等において、従来の乾電池等の専用電池を用意することなく、この種の現場では当然に用意される電動工具１５用のバッテリパック１３を用いてヘルメット本体１１に付属の送風ユニット１２を用いることができ、これにより作業者は頭部の蒸れを感ずることなくヘルメット１０を快適な状態で装備することができ、これにより作業を効率よく行うことができるようになる。
また、送風ユニット１２はヘルメット本体１１から簡単に取り外すことができる。このため、不必要時には送風ユニット１２を取り外してヘルメット本体１１（ヘルメット１０）を軽量化することができ、この点で作業者の負担を軽減することができる。
さらに、バッテリパック１３及びバッテリアダプタ１２ｂがヘルメット本体１１とは分離した状態で腰ベルト１４等に装着することができるので、この点でも作業者の負担を軽減して作業効率を一層高めることができる。
【００１０】
以上説明した第１実施形態には様々な変更を加えて実施することができる。例えば、ヘルメット本体１１に取り付ける電気機器として送風ユニット１２を例示したが、これに代えてあるいは加えて照明器具、ラジオ、フラッシュメモリタイプのミュージックプレーヤ等の各種電気機器を取り付ける構成とすることができる。
また、バッテリパック１３を電源とする電動工具１５として電気カンナを例示したが、建築作業現場等で用いられる電動工具としては、例えば充電式の電動ねじ締め機、孔明け用の電気ドリル、レシプロソーやマルノコ等の切断機等の各種の充電式電動工具が用いられており、これらに電源として取り付けられるバッテリパックをバッテリアダプタ１２ｂに取り付けてヘルメット搭載用の電気機器を作動させる構成としてもよい。バッテリパック１３には、容量が例えば１４．４Ｖ、１８Ｖあるいは３６Ｖといったように各種サイズのものを適用することができる。従って、バッテリケース１３ｃ内に収容するバッテリセル１３ｂの本数についても少なくとも１本を収容したものを適用することができる。
さらに、バッテリパック１３をヘルメット本体１１から分離して装着する構成を例示したが、後述するように送風ユニット１２（電気機器）と同様ヘルメット本体１１にバッテリパックを装着する構成としてもよい。
【００１１】
図３には、ヘルメット本体１１に搭載する電気機器として第１実施形態の送風ユニット１２に加えて照明ユニット２１を備える第２実施形態のヘルメット２０が示されている。第１実施形態と同様の構成について同位の符号を用いてその説明を省略する。この第２実施形態では、第１実施形態と同様ヘルメット本体１１の後部に送風ユニット１２が面ファスナにより取り外し可能に取り付けられている。この送風ユニット１２の前側に連続して照明ユニット２１が取り付けられている。照明ユニット２１は送風ユニット１２に対してブロック体結合（コネクタ接続）された状態で面ファスナによりヘルメット本体１１の上部に取り外し可能に取り付けられている。このため、電源コード１２ｄを経て照明ユニット２１に電源供給される。
照明ユニット２１にはフラッシュライト（ＬＥＤ）２２が内装されて前方を明るく照らすことができる。この照明ユニット２１の側部にオンオフ操作用のボタンスイッチ２３が装備されている。作業者がこのボタンスイッチ２３をオンオフ操作することにより、フラッシュライト２２を自由に点灯、消灯することができる。なお、前記したようにフラッシュライト２２の点灯、消灯とは別に、スライドスイッチ１２ｆを操作することにより送風ユニット１２によるヘルメット本体１１内の強制通風を起動、停止させることができる。
この第２実施形態のヘルメット１０によれば、送風ユニット１２でヘルメット本体１１内を強制通風して頭部の蒸れを防止できるとともに、照明ユニット２１で前方を明るく照らすことができるので、特に暗所での作業を効率よく行うことができる。この第２実施形態においても、送風ユニット１２と照明ユニット２１の電源として、電動工具１５に用いられるバッテリパック１３を利用することができることから、別途乾電池等の電気機器に専用の電源を用意する必要がなく、各種の充電式電動工具が用いられる作業現場において特に付加価値の高いヘルメット１０を提供することができる。
【００１２】
図４には、照明ユニット２１に代えてラジオユニット３１をヘルメット本体１１に搭載した第３実施形態のヘルメット３０が例示されている。ラジオユニット３１は、送風ユニット１２の左側部にブロック体結合（コネクタ接続）された状態で、面ファスナによりヘルメット本体１１の左側部に取り外し可能に搭載されている。
ラジオユニット３１は、ボリューム調整ダイヤル兼用の電源スイッチ３１ａ、ワンタッチ式の選局ボタン３１ｂ〜３１ｂ、ロッドアンテナ３１ｃ及びスピーカ３１ｄ等を備えている。
このラジオユニット３１の電源を第１、第２実施形態と同様電動工具１５用のバッテリパック１３とすることにより、建築作業現場等において電動工具１５のバッテリパック１３を有効活用しつつ、作業休憩時において音楽でリラックス効果を高めることでき、また災害時等の緊急情報を迅速かつ確実に入手することができるようになる。
図示するように、送風ユニット１２とラジオユニット３１は相互にブロック体結合した状態でヘルメット本体１１から面ファスナを引き剥がすようにして簡単に取り外すことができる。ヘルメット本体１１から取り外した状態でも、送風ユニット１２及びラジオユニット３１を利用することができる。
【００１３】
図５には、送風ユニット１２と照明ユニット２１とラジオユニット３１を備えた第４実施形態のヘルメット４０が例示されている。これら各ユニット１２，２１，３１は相互にブロック体結合されるとともに、面ファスナによってヘルメット本体１１に取り外し可能に取り付けられている。これら３つのユニット１２，２１，３１を備えることにより前記説明した各作用効果（通風機能、照明機能、オーディオ機能）を全て得ることができ、極めて付加価値の高いフル装備のヘルメット４０とすることができる。
ラジオユニット３１には、フラッシュメモリタイプのミュージックプレイヤーを内装させることができる。このミュージックプレイヤーでは、ＳＤカードやＵＳＢメモリ等の外部メモリを経て、あるいは内蔵メモリに保存した音楽ファイルを再生することができ、これにより作業休憩中等に音楽を聴いてリラックスすることができる。
以上説明した第１〜第４実施形態では、各種の電気機器（送風ユニット１２、照明ユニット２１、ラジオユニット３１）で電源であるバッテリパック１３がバッテリアダプタ１２ｂを介してヘルメット本体１１とは分離した状態に装備される構成を例示したが、例えばより小型のバッテリパックであれば、ヘルメット本体１１に直接装備することもできる。係る第５実施形態が図６に示されている。変更を要しない構成については同位の符号を用いて説明を省略する。
第５実施形態のヘルメット５０は、ヘルメット本体１１の後部に前記各実施形態と同様の送風ユニット１２を取り外し可能に備えることに加えて、その上面に沿ってバッテリユニット５１をブロック体結合により取り付けた構成を備えている。このバッテリユニット５１も面ファスナにより引き剥がすようにして取り外し可能な状態でヘルメット本体１１の上面に沿って取り付けられている。
バッテリユニット５１の前部にバッテリ差し込み口５１ａが設けられている。このバッテリ差し込み口５１ａに、比較的小型（例えば１０．８Ｖ）で差し込みタイプのバッテリパック５２が取り付けられている。送風ユニット１２は、このバッテリパック５２を電源として作動する。このバッテリパック５２も、例えば充電式スクリュードライバ等の電動工具の電源として用いることができるもので、建築作業現場等において当然に用意されるものが用いられている。
【００１４】
この第５実施形態のヘルメット５０によれば、第１〜第４実施形態とは異なって、腰ベルト１４にバッテリパック１３及びバッテリアダプタ１２ｂを引き掛けておく必要がなく、しかもバッテリユニット５１に装着されるバッテリパック５２が比較的小型軽量のものであることから、作業者の機動性を一層よくすることができる。
また、第５実施形態の場合、ヘルメット本体１１の後部に電気機器としての送風ユニット１２が装備され、その反対側の前部にバッテリパック５２が装備される。このため、バッテリパック５２を、送風ユニット１２に対するバランスウエイト（重量バランサ）として機能させることができ、これにより作業者はヘルメット５０を傾きのない状態で被ることができる。
この第５実施形態のヘルメット５０は、さらに照明ユニット、ラジオユニットあるいはフラッシュメモリタイプのミュージックプレーヤー等のその他の電気機器を装備する構成としてもよい。
さらに、送風ユニット１２等の電気機器をヘルメット本体１１の例えば右側部に装備する場合には、バッテリパック５２をその頂部に対して反対側の左側部に装備することにより当該バッテリパックを上記と同様にバランスウエイトとして機能させることができる。
また、第１〜第５実施形態において、各種電気機器のヘルメット本体１１に対する取り付け手段として面ファスナを例示したが、ビス止め、クリップ止め等のその他の手段を用いる構成としてもよい。
また、バッテリパックを装着したバッテリアダプタに肩ベルトを取り付けて、作業者が肩に掛けて用いる構成としてもよい。
さらに、送風ユニット１２、照明ユニット２１、ラジオユニット３１及びバッテリユニット５１をそれぞれ相互にブロック体結合して電気的に接続する形態のユニット結合タイプを例示したが、それぞれ個別にヘルメット本体に分散して取り付け可能な構成としてよい。
要は、これら様々な電気機器をヘルメット本体１１に装備可能とし、これらの電源を電動工具用のバッテリパックとすることにより、建築作業現場等において当然に準備されるバッテリパックをそのまま有効活用して当該ヘルメットに高い付加価値を発揮させることができるようになる。近年、電動工具用のバッテリパックについて、容量の大型化とともに高性能化してきていることに鑑み、このバッテリパックをヘルメット搭載用電気機器の電源としても活用できるようにすることで一層その高機能化を実現することができる。
【符号の説明】
【００１５】
１０…ヘルメット（第１実施形態）
１１…ヘルメット本体
１２…送風ユニット
１２ｂ…バッテリアダプタ、１２ｃ…吹き出し口、１２ｄ…電源コード、１２ｅ…フック
１２ｆ…スライドスイッチ
１３…バッテリパック（スライドタイプ）
１３ａ…フック、１３ｂ…バッテリセル、１３ｃ…バッテリケース
１４…腰ベルト
１５…電動工具（充電式電気カンナ）
２０…ヘルメット（第２実施形態）
２１…照明ユニット
２２…フラッシュライト
２３…ボタンスイッチ
３０…ヘルメット（第３実施形態）
３１…ラジオユニット
４０…ヘルメット（第４実施形態）
５０…ヘルメット（第５実施形態）
５１…バッテリユニット
５２…バッテリパック（小型差し込みタイプ）
【図１】
2012036527.tif 000003
【図２】
2012036527.tif 000004
【図３】
2012036527.tif 000005
【図４】
2012036527.tif 000006
【図５】
2012036527.tif 000007
【図６】
2012036527.tif 000008